(57)【要約】【課題】液体含浸布状体を容易かつスムーズに取出すことが可能な液体含浸布状態収納袋を提供する。【解決手段】平面視矩形状の袋本体１の上壁部11は、前後中央位置において、左側縁部から右側縁部に渡って、開口部10が形成され、その開口部10は、上壁部11を袋外方側Ｋｅへ突設した一対の帯状突片部61，71にて、形成され、さらに、一対の帯状突片部61，71の対向面には、ファスナ部５が配設されている。【選択図】図２
2020147318.tif 000002
【特許請求の範囲】
【請求項１】
平面視矩形状の袋本体（１）の上壁部（11）は、前後中央位置において、左側縁部（１ｃ）から右側縁部（１ｄ）に渡って、開口部（10）が形成され、
上記開口部（10）は、上記上壁部（11）を袋外方側（Ｋｅ）へ突設した一対の帯状突片部（61）（71）にて、形成され、
さらに、一対の上記帯状突片部（61）（71）の対向面には、ファスナ部（５）が配設されていることを特徴とする液体含浸布状体収納袋。
【請求項２】
上記ファスナ部（５）は、相互に係合分離自在な一対のチャックテープ（51）（52）から成り、
一方の上記帯状突片部（61）に対して、一方の上記チャックテープ（51）の基板部（53）は、袋外方縁部（53ｅ）及び袋内方縁部（53ｆ）が固着され、
他方の上記帯状突片部（71）に対して、他方の上記チャックテープ（52）の基板部（54）は、袋外方縁部（54ｅ）のみが固着されている請求項１記載の液体含浸布状体収納袋。
【請求項３】
上記ファスナ部（５）よりも袋外方側（Ｋｅ）に一対の上記帯状突片部（61）（71）を密封する未開封確認用シール部（81）を設けた請求項１又は２記載の液体含浸布状体収納袋。
【発明の詳細な説明】
【技術分野】
【０００１】
本発明は、液体含浸布状体収納袋に関する。
【背景技術】
【０００２】
従来、美容液や薬液等の液体を含浸させたフェイスパックシート等の布状体を収容する液体含浸布状体収納袋は、矩形状の袋本体の上端縁部を開封して、内部の布状体（フェイスパックシート）を取出すものが公知である（例えば特許文献１参照）。
従来の液体含浸布状体収納袋は、図13（ａ）に示すように、袋本体90の上端縁部91に設けた開口部92と、開口部92に設けたファスナ部93と、ファスナ部93よりも袋外方側に設けた未開封確認用シール部94と、を有し、図13（ｂ）に示すように、未開封確認用シール部94を切断除去した後、ファスナ部93の係合を解除して、開口部92から布状体95を取出していた。
【先行技術文献】
【特許文献】
【０００３】
【特許文献１】特開２０１５−２２３５０６号公報
【発明の概要】
【発明が解決しようとする課題】
【０００４】
しかし、従来の液体含浸布状体収納袋は、図13（ｂ）に示すように、布状体95を１枚取出す際に、他の布状体95も連れ出されてしまいスムーズに取出せないといった問題や、袋本体90の姿勢を、開口部92が上方へ向くように保持しないと、美容液や薬液がこぼれるといった問題があり、取出しが非常に困難であった。
【０００５】
そこで、本発明は、液体が含浸された布状体を容易かつスムーズに取出すことが可能な液体含浸布状体収納袋を目的とする。
【課題を解決するための手段】
【０００６】
本発明の液体含浸布状体収納袋は、平面視矩形状の袋本体の上壁部は、前後中央位置において、左側縁部から右側縁部に渡って、開口部が形成され、上記開口部は、上記上壁部を袋外方側へ突設した一対の帯状突片部にて、形成され、さらに、一対の上記帯状突片部の対向面には、ファスナ部が配設されているものである。
また、上記ファスナ部は、相互に係合分離自在な一対のチャックテープから成り、一方の上記帯状突片部に対して、一方の上記チャックテープの基板部は、袋外方縁部及び袋内方縁部が固着され、他方の上記帯状突片部に対して、他方の上記チャックテープの基板部は、袋外方縁部のみが固着されているものである。
また、上記ファスナ部よりも袋外方側に一対の上記帯状突片部を密封する未開封確認用シール部を設けたものである。
【発明の効果】
【０００７】
本発明の液体含浸布状体収納袋は、積層状に収納している複数枚の液体含浸布状体を、スムーズに１枚ずつ取出すことができる。袋本体を、テーブルや机等の平坦載置面に置いた安定姿勢で、容易に布状体を取出すことができる。
【図面の簡単な説明】
【０００８】
【図１】本発明の実施の一形態を示す平面図である。
【図２】図１のＡ−Ａ断面拡大図である。
【図３】開封状態の斜視図である。
【図４】取出し状態を示す断面側面図である。
【図５】作用を説明する断面側面図であって、（ａ）は内圧発生直後の断面側面図であり、（ｂ）はファスナ部の傾倒途中状態の断面側面図であり、（ｃ）はファスナ部がさらに傾倒した状態の断面側面図であり、（ｄ）はファスナ部の傾倒終了状態の断面側面図である。
【図６】傾倒終了状態での作用を説明する要部拡大断面図である。
【図７】他例の内圧発生時の状態を説明する要部拡大断面図である。
【図８】一対のファスナーテープの他例を示す要部拡大断面図である。
【図９】揺動片部の他の一例を示す要部拡大断面図である。
【図１０】揺動片部の別の一例を示す要部拡大断面図である。
【図１１】袋本体の前後端縁部の他の一例を示す要部拡大断面図である。
【図１２】袋本体の前後端縁部の別の一例を示す要部拡大断面図である。
【図１３】従来の問題点を説明するための断面側面図であって、（ａ）は未開封状態の断面側面図であり、（ｂ）は布状体取出し状態の断面側面図である。
【発明を実施するための形態】
【０００９】
以下、図示の実施形態に基づき本発明の液体含浸布状体収納袋を詳説する。
本発明に係る液体含浸布状体収納袋は、図１に示すように、平面視矩形状の樹脂シート（樹脂フィルム）製の袋本体１を備えている。
図１乃至図３に示すように、袋本体１は、シート状の上壁部（表て壁部）11と、シート状の下壁部（裏壁部）12と、を有している。左右側縁部１ｃ，１ｄは溶着にて密封状に閉じられ、前端縁部１ａは、前側シート折返部13をもって密封状に閉じられており、後端縁部１ｂは、後側シート折返部14をもって密封状に閉じられている。
【００１０】
袋本体１の内部には、美容液や薬液等の液体が含浸されたフェイスパックシート等の不織布製の布状体Ｍを、複数枚、積層状態で収納している。また、美容液や薬液等の液体を貯液している。
なお、上記液体としては、洗浄液、消毒液、コーティング液、水等自由であり、布状体Ｍとしては、クリーニングシート、ウェットシート、除菌シート、洗車シート、マスク、メイク落としシート、美容シート等自由である。
なお、布状体Ｍ及び液体は、左右側縁部１ｃ，１ｄの一方を溶着にて密閉した後に、左右側縁部１ｃ，１ｄの他方から収納され、その後、左右側縁部１ｃ，１ｄの他方が溶着にて密閉されることで、袋本体１の内部に収容される。
【００１１】
袋本体１の上壁部11には、前後中央位置において、左側縁部１ｃから右側縁部１ｄに渡って、開口部10が形成されている。
開口部10は、上壁部11を袋外方側Ｋｅへ突設した一対の帯状突片部61，71にて、形成されている。
【００１２】
ここで、図２に示すように、一対の帯状突片部61，71の鉛直面状起立姿勢において、開口部10の前後方向中心線を、開口基準線Ｓと呼び、図１に示すように、平面視で、袋本体１の前端縁部１ａから開口基準線Ｓまでの寸法を開口基準前後位置寸法Ｌ10と呼び、袋本体１の前端縁部１ａから後端縁部１ｂまでの寸法を袋前後寸法Ｌ１と呼ぶ。
そして、前後中央位置において開口部10が形成されるとは、言い換えると、開口基準前後位置寸法Ｌ10が、袋前後寸法Ｌ１の３５％以上６５％以下の寸法（値）となるように開口部10を形成する。好ましくは、開口基準前後位置寸法Ｌ10が、袋前後寸法Ｌ１の４０％以上６０％以下の寸法（値）となるように開口部10を形成する。
【００１３】
上壁部11は、開口部10で、前後方向に分離される第１シート部６と第２シート部７を有している。
第１シート部６は、袋本体１の前端縁部１ａから開口基準線Ｓ（前後中央位置）近傍まで下壁部12の前半部と対面状に配設される第１平面状部60と、開口基準線Ｓ（前後中央位置）近傍で袋外方側Ｋｅへ突設して開口部10を形成するための一方の帯状突片部61（以下、第１突片部61と呼ぶ場合もある）と、を有している。
第２シート部７は、袋本体１の後端縁部１ｂから開口基準線Ｓ（前後中央位置）近傍まで下壁部12の後半部と対面状に配設される第２平面状部70と、開口基準線Ｓ（前後中央位置）近傍で袋外方側Ｋｅへ突設して開口部10を形成するための他方の帯状突片部71（以下、第２突片部71と呼ぶ場合もある）と、を有している。
【００１４】
第１シート部６において第１突片部61の左右側縁部を除いた残りの左右側縁部は、下壁部12と溶着にて固着（密封）し、袋本体１の左右側縁部１ｃ，１ｄ（左右側縁シール部）の前半部を形成している。
第２シート部７において第２突片部71の左右側縁部を除いた残りの左右側縁部は、下壁部12と溶着にて固着（密封）し、袋本体１の左右側縁部１ｃ，１ｄ（左右側縁シール部）の後半部を形成している。
【００１５】
そして、第１突片部61の左右側縁部と、第２突片部71の左右側縁部とが、夫々、溶着にて固着（密封）され、揺動片部８を形成している。言い換えると、揺動片部８は、左右方向に長い帯状であって、前後方向に開く開口部10を形成し、左右側縁部は、溶着にて密封された帯端シール部を有している。
【００１６】
揺動片部８は、傾倒起立可能に揺動自在である。従って、袋本体１の上壁部11側に、他の袋本体１の下壁部12や他の物体が載置された際、或いは、バッグ等に収容した際に、揺動片部８が、第１平面状部60、又は、第２平面状部70と対面状に傾倒して、積み重ね収容や搬送が容易となる。
【００１７】
揺動片部８は、図２に示すように、第１・第２突片部61，71の各基端部（第１・第２平面状部60，70との折曲り部）62，72が熱処理又は塑性変形等にてクセづけされ、自由状態で起立（自立）可能としている。従って、第１・第２突片部61，71の把持や開口部10の開閉作業、布状体Ｍの取出し作業が容易となる。
【００１８】
そして、一対の帯状突片部61，71の対向面（シート内面）には、相互に係合分離自在な一対の樹脂製のチャックテープ51，52から成るファスナ部５が配設されている。
一対のチャックテープ51，52は、夫々、帯状の基板部53，54と、基板部53，54に突設される係合部55，56と、を有している。
【００１９】
ファスナ部５は、第１突片部61のシート内面に、一方のチャックテープ51（第１テープ51と呼ぶ場合もある）の帯状の基板部53が平行状に溶着にて固着され、かつ、第２突片部71のシート内面に、他方のチャックテープ52（第２テープ52と呼ぶ場合もある）の帯状の基板部54が平行状に溶着にて固着され、第１テープ51の係合部55と第２テープ52の係合部56が係合分離自在に相互に向かい合って配設している。
【００２０】
なお、ファスナ部５は、第１・第２突片部61，71（第１・第２テープ51，52の基板部53，54）に対して直交状の方向（第１・第２突片部61，71が鉛直面状起立姿勢においては前後外方）への力が作用すると、分離するように構成したものであれば良く、係合部55，56の凹凸（雌雄）形状は自由である。
【００２１】
そして、第１突片部61に対して、第１テープ51の基板部53（以下、第１基板部53と呼ぶ場合もある）は、袋外方縁部53ｅ及び袋内方縁部53ｆが溶着にて固着されている。
さらに、第２突片部71に対して、第２テープ52の基板部54（以下、第２基板部54と呼ぶ場合もある）は、袋外方縁部54ｅのみが溶着されている。
言い換えると、第２基板部54は、係合部56に対応する部位及びその近傍と、袋内方縁部54ｆとが、第２突片部71のシート内面に対して非固着状態である。
【００２２】
そして、ファスナ部５よりも袋外方側Ｋｅに、一対の帯状突片部61，71の外端縁部同士を溶着にて固着（密封）する未開封確認用シール部81を設けている。
また、ファスナ部５と未開封確認用シール部81の間に、その未開封確認用シール部81を切断除去するための切断予定部を設けている。
【００２３】
図２において、二点鎖線で示すように、未開封確認用シール部81を切断除去し、一対の帯状突片部61，71を、前後外方へ広げると、ファスナ部５が分離して、図３に示すように、開口部10が開口して、布状体Ｍが露出する。
【００２４】
そして、図４に示すように、開口部10を介して、指で布状体Ｍの中央領域を把持して持ち上げることが可能となる。従って、取出す布状体Ｍと他の布状体Ｍとの間に空気や液体が侵入して、分離しやすくなる。また、均一状に引き出し力が作用して（図13（ｂ）の従来技術のように上方へ引きずり出す場合に比べて）、取出す布状体Ｍを全体的に引き上げることができ、剥離（分離）がスムーズに行われ、他の布状体Ｍの連れ出しが防がれ、１枚のみを容易に取出すことができる。
また、布状体Ｍに付着している余剰な美容液等の液体が、袋本体１の外部へ垂れずに（袋内部へ垂れて）、周囲を汚さずに取出し作業を行うことができる。
【００２５】
そして、布状体Ｍを取出した後に、一対の帯状突片部61，71を、前後内方へ相互に接近させるとファスナ部５が係合して、開口部10が密閉され、美容液等の液体が袋内部から漏れるのを防止すると共に、袋内部の乾燥をファスナ部５によって防止する。
【００２６】
ここで、ファスナ部５が閉じた状態で、袋本体１が、押しつぶされるような外部からの押圧力を受けると、図５（ａ）に示すように、袋内部の液体や空気による内圧Ｐが発生し、図５（ｂ）に示すように、第１・第２シート部６，７が風船状に膨らもうとすると共に、第１シート部６と第２シート部７を前後外方へ引っ張るような張力Ｔが発生する。
【００２７】
そして、図５（ｂ）に示すように、第２突片部71と、第２基板部54の袋内方縁部54ｆと、の間（テープ非固着部位）に内圧Ｐが作用すると共に、第１テープ51は全体が前方へ引っ張られ、第２テープ52は袋外方縁部54ｅが後方へ引っ張られるため、ファスナ部５は、係合状態のまま、図５（ｃ）と図５（ｄ）に順次示すように、傾倒する。
【００２８】
図６に示すように、ファスナ部５は、水平状の傾倒姿勢で張力Ｔによる前後外方への力を受けることになる。
第１テープ51の係合部55（以下、第１係合部55と呼ぶ場合もある）は、前方へ移動しようとする力Ｆａが作用し、第２テープ52の係合部56（以下、第２係合部56と呼ぶ場合もある）は、後方へ移動しようとする力Ｆｂが作用する。即ち、相互に押し合うことになり、係合力が増加し、開口部10の開口（ファスナ部５の分離）は阻止される。
【００２９】
ここで、図７に示す他例のように、第２基板部54の袋内方縁部54ｆが、第２突片部71のシート内面に溶着している場合は、外圧により、袋本体１に内圧Ｐと張力Ｔが発生すると、第１基板部53の袋内方縁部53ｆと、第２基板部54の袋内方縁部54ｆと、の間が開き、揺動片部８は起立状態が保持され、この起立姿勢で、第１・第２突片部61，71の基端部62，72が、前後外方への張力Ｔを受けることになる。
従って、ファスナ部５（揺動片部８）が鉛直面状姿勢の状態で、第１の係合部55には前方へ移動しようとする力Ｆａが作用し、第２の係合部56には後方へ移動しようとする力Ｆｂが作用する。そこで、ファスナ部５自体の係合力を大きいものとするのが良い（後述の図８参照）。
【００３０】
なお、ファスナ部５は、図８に示すような、袋外方側Ｋｅと袋内方側Ｋｆとの間でラビリンス効果（作用）を発揮して液体の漏れを防止可能な形状のものが好ましい。係合・分離が容易でありながら、液体に対する密封性（水密性）が得られ、液体の漏れや、袋内部の乾燥を防止できて、好適である。
【００３１】
図８に於て、第１テープ51の係合部55は、袋外方側Ｋｅに配設される横断面キノコ型（矢印型）の雄部55ｒと、袋内方側Ｋｆに配設される横断面Ｊ字乃至Ｌ字状の第１係止爪部55ｓと、を有している。
第２テープ52の係合部56は、第１テープ51の雄部55ｒを係脱自在な横断面コの字状の雌部56ｒと、第１テープ51の第１係止爪部55ｓに係脱自在な横断面Ｊ字状乃至Ｌ字状の第２係止爪部56ｓと、を有する。
雄部55ｒ及び雌部56ｒは、袋外方側縁部及び袋内方側縁部に、カエリ部（掛かり部）を有している。そして、雄部55ｒと雌部56ｒの係合力は、袋外方側縁部の係合力よりも、袋内方側縁部の係合力が大きくなるように構成している。
このようなファスナ部５を設けることで、ファスナ部５の係合力を十分に大きくできしかも、外圧を受けて、内圧Ｐや張力Ｔ（図７参照）が発生し、袋内方側Ｋｆからファスナ部５が押し広げられるような力や、一対の帯状突片部61，71の基端部62，72に前後外方への張力Ｔが作用しても、ファスナ部５の分離を防止できる。
【００３２】
なお、本発明は、設計変更可能であって、上述の説明において、溶着した部位は、溶着に限らず、接着（接着剤を用いた固着）とするも良い。溶着とは、接着剤を用いずに、加熱によって樹脂を相互に固着できれば良く、ヒータ溶着、超音波溶着、高周波溶着等を用いて行うことができ、熱圧着や熱溶着と言い換えることもできる。なお、図１と図３に於て、左右側縁シール部を網掛け模様にて図示している。また、図２と図４乃至図７と図９と図10と図12に於て、溶着や接着による固着部（接合部）を黒塗りの矩形状（太い線）で図示している。
【００３３】
また、図９に示すように、揺動片部８は、自由状態で、前後一方側へ倒れた傾倒姿勢を保持するように、クセづけするも良い。また、図10に示すように、揺動片部８において、未開封確認用シール部81を省略するも良い。また、図２に示すように、揺動片部８を自由状態で起立（自立）可能にした場合において、図示省略するが、未開封確認用シール部81を省略するも良い。また、袋本体１の前側・後側シート折返部13，14（前後端縁部１ａ，１ｂ）は、図３に示すようなガゼット折り（ガゼット）が好ましいが、図11に示すように、単なる１度のシート折返しにてマチを形成するも良い。また、前・後端縁部１ａ，１ｂの一方を、図12に示すように、積層状態の複数枚の布状体Ｍを収容するための開口部とし、布状体Ｍを収容後に溶着又は接着にて閉じられて密封状となる端縁シール部19を有する構造とするも良い。言い換えると、袋本体１は、前後端縁部１ａ，１ｂの内の一方が、シート折返しにて閉じた密封状とし、他方は、溶着又は接着にて閉じた（端縁シール部19を有する）密封状、或いは、シート折返しにて閉じた密封状としている。
【００３４】
袋本体１及び第１・第２テープ51，52は、ポリエチレンやポリプロピレン等のポリオレフィン系樹脂が好ましいが、ＰＥＴ樹脂やナイロン等を用いるも良い。
また、本発明を容易に説明するために、袋本体１の下壁部（裏壁部）12を水平面状の載置面に載置した姿勢を基準姿勢とし、その基準姿勢において、鉛直方向を上下方向と呼び、ファスナ部５（一対のチャックテープ51，52）の長手方向を左右方向と呼んで方向を説明している。したがって、方向を基に、使用状態の姿勢を限定するものではない。
【００３５】
以上詳述したように、本発明の液体含浸布状体収納袋は、平面視矩形状の袋本体１の上壁部11は、前後中央位置において、左側縁部１ｃから右側縁部１ｄに渡って、開口部10が形成され、上記開口部10は、上記上壁部11を袋外方側Ｋｅへ突設した一対の帯状突片部61，71にて、形成され、さらに、一対の上記帯状突片部61，71の対向面には、ファスナ部５が配設されているので、積層状に収納された複数枚の液体が含浸した布状体Ｍを、容易かつスムーズに１枚ずつ取出すことができる。袋本体１を、テーブルや机等の平坦載置面に、置いた状態で容易に取出すことができる。
【００３６】
また、上記ファスナ部５は、相互に係合分離自在な一対のチャックテープ51，52から成り、一方の上記帯状突片部61に対して、一方の上記チャックテープ51の基板部53は、袋外方縁部53ｅ及び袋内方縁部53ｆが固着され、他方の上記帯状突片部71に対して、他方の上記チャックテープ52の基板部54は、袋外方縁部54ｅのみが固着されているので、外部からの押圧力により発生した内圧Ｐと張力Ｔを利用して、ファスナ部５を水平状の傾倒姿勢とし、その水平状傾倒姿勢で、ファスナ部５が、張力Ｔを受けるようにし、さらに、その張力Ｔを巧みに利用してファスナ部５の係合力を増加させて開口を防止できる。簡素な構成で（特別な部材を設ける必要が無く）、外圧による漏れや開口を防止できる。
【００３７】
また、上記ファスナ部５よりも袋外方側Ｋｅに一対の上記帯状突片部61，71を密封する未開封確認用シール部81を設けたので、一旦、開封したか否かの判断が一目でわかる。イタズラ防止や、製造時での品質チェックを容易かつ迅速に行うことができる。
【符号の説明】
【００３８】
１  袋本体
１ｃ  左側縁部
１ｄ  右側縁部
５  ファスナ部
10  開口部
11  上壁部
51  一方のチャックテープ
52  他方のチャックテープ
53  基板部
53ｅ  袋外方縁部
53ｆ  袋内方縁部
54  基板部
54ｅ  袋外方縁部
61  一方の帯状突片部
71  他方の帯状突片部
81  未開封確認用シール部
Ｋｅ  袋外方側
【図１】
2020147318.tif 000003
【図２】
2020147318.tif 000004
【図３】
2020147318.tif 000005
【図４】
2020147318.tif 000006
【図５】
2020147318.tif 000007
【図６】
2020147318.tif 000008
【図７】
2020147318.tif 000009
【図８】
2020147318.tif 000010
【図９】
2020147318.tif 000011
【図１０】
2020147318.tif 000012
【図１１】
2020147318.tif 000013
【図１２】
2020147318.tif 000014
【図１３】
2020147318.tif 000015
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
平面視矩形状の袋本体（１）の上壁部（11）は、前後中央位置において、左側縁部（１ｃ）から右側縁部（１ｄ）に渡って、開口部（10）が形成され、
上記開口部（10）は、上記上壁部（11）を袋外方側（Ｋｅ）へ突設した一対の帯状突片部（61）（71）にて、形成され、
さらに、一対の上記帯状突片部（61）（71）の対向面には、ファスナ部（５）が配設され、
上記ファスナ部（５）は、相互に係合分離自在な一対のチャックテープ（51）（52）から成り、
一方の上記帯状突片部（61）に対して、一方の上記チャックテープ（51）の基板部（53）は、袋外方縁部（53ｅ）及び袋内方縁部（53ｆ）が固着され、
他方の上記帯状突片部（71）に対して、他方の上記チャックテープ（52）の基板部（54）は、袋外方縁部（54ｅ）のみが固着され、
上記袋本体（１）が、外部からの押圧力を受けると、内圧（Ｐ）が発生し、上記チャックテープ（51）（52）を前後外方へ引っぱる張力（Ｔ）が発生して、上記ファスナ部（５）が水平状の傾倒姿勢となるように構成されていることを特徴とする液体含浸布状体収納袋。
【請求項２】
上記ファスナ部（５）よりも袋外方側（Ｋｅ）に一対の上記帯状突片部（61）（71）を密封する未開封確認用シール部（81）を設けた請求項１記載の液体含浸布状体収納袋。
【手続補正２】
【補正対象書類名】明細書
【補正対象項目名】０００６
【補正方法】変更
【補正の内容】
【０００６】
本発明の液体含浸布状体収納袋は、平面視矩形状の袋本体の上壁部は、前後中央位置において、左側縁部から右側縁部に渡って、開口部が形成され、上記開口部は、上記上壁部を袋外方側へ突設した一対の帯状突片部にて、形成され、さらに、一対の上記帯状突片部の対向面には、ファスナ部が配設され、上記ファスナ部は、相互に係合分離自在な一対のチャックテープから成り、一方の上記帯状突片部に対して、一方の上記チャックテープの基板部は、袋外方縁部及び袋内方縁部が固着され、他方の上記帯状突片部に対して、他方の上記チャックテープの基板部は、袋外方縁部のみが固着され、上記袋本体が、外部からの押圧力を受けると、内圧が発生し、上記チャックテープを前後外方へ引っぱる張力が発生して、上記ファスナ部が水平状の傾倒姿勢となるように構成されているものである。
また、上記ファスナ部よりも袋外方側に一対の上記帯状突片部を密封する未開封確認用シール部を設けたものである。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
平面視矩形状の袋本体（１）の上壁部（11）は、前後中央位置において、左側縁部（１ｃ）から右側縁部（１ｄ）に渡って、開口部（10）が形成され、該開口部（10）から液体含浸布状体（Ｍ）を取り出して使用する液体含浸布状体収納袋に於て、
上記開口部（10）は、上記上壁部（11）を袋外方側（Ｋｅ）へ鉛直面状起立姿勢として突設した一対の帯状突片部（61）（71）にて、形成され、
上記上壁部（11）は、袋本体（１）の前端縁部（１ａ）から開口基準線（Ｓ）近傍までの第１平面状部（60）と、袋本体（１）の後端縁部（１ｂ）から開口基準線（Ｓ）近傍までの第２平面状部（70）とを、有し、
さらに、一対の上記帯状突片部（61）（71）の対向面には、ファスナ部（５）が配設され、
上記ファスナ部（５）は、相互に係合分離自在な一対のチャックテープ（51）（52）から成り、
一方の上記帯状突片部（61）に対して、一方の上記チャックテープ（51）の基板部（53）は、袋外方縁部（53ｅ）及び袋内方縁部（53ｆ）が固着され、
他方の上記帯状突片部（71）に対して、他方の上記チャックテープ（52）の基板部（54）は、袋外方縁部（54ｅ）のみが固着され、
上記袋本体（１）が、外部からの押圧力を受けると、内圧（Ｐ）が発生し、上記チャックテープ（51）（52）を前後外方へ引っ張る張力（Ｔ）が発生して、上記ファスナ部（５）が水平状の傾倒姿勢となって該ファスナ部（５）が閉鎖状態を保つように構成されていることを特徴とする液体含浸布状体収納袋。
【請求項２】
上記ファスナ部（５）よりも袋外方側（Ｋｅ）に一対の上記帯状突片部（61）（71）を密封する未開封確認用シール部（81）を設けた請求項１記載の液体含浸布状体収納袋。
【手続補正２】
【補正対象書類名】明細書
【補正対象項目名】全文
【補正方法】変更
【補正の内容】
【発明の詳細な説明】
【技術分野】
【０００１】
本発明は、液体含浸布状体収納袋に関する。
【背景技術】
【０００２】
従来、美容液や薬液等の液体を含浸させたフェイスパックシート等の布状体を収容する液体含浸布状体収納袋は、矩形状の袋本体の上端縁部を開封して、内部の布状体（フェイスパックシート）を取出すものが公知である（例えば特許文献１参照）。
従来の液体含浸布状体収納袋は、図13（ａ）に示すように、袋本体90の上端縁部91に設けた開口部92と、開口部92に設けたファスナ部93と、ファスナ部93よりも袋外方側に設けた未開封確認用シール部94と、を有し、図13（ｂ）に示すように、未開封確認用シール部94を切断除去した後、ファスナ部93の係合を解除して、開口部92から布状体95を取出していた。
【先行技術文献】
【特許文献】
【０００３】
【特許文献１】特開２０１５−２２３５０６号公報
【発明の概要】
【発明が解決しようとする課題】
【０００４】
しかし、従来の液体含浸布状体収納袋は、図13（ｂ）に示すように、布状体95を１枚取出す際に、他の布状体95も連れ出されてしまいスムーズに取出せないといった問題や、袋本体90の姿勢を、開口部92が上方へ向くように保持しないと、美容液や薬液がこぼれるといった問題があり、取出しが非常に困難であった。
【０００５】
そこで、本発明は、液体が含浸された布状体を容易かつスムーズに取出すことが可能な
液体含浸布状体収納袋を目的とする。
【課題を解決するための手段】
【０００６】
本発明に係る液体含浸布状体収納袋は、平面視矩形状の袋本体の上壁部は、前後中央位置において、左側縁部から右側縁部に渡って、開口部が形成され、該開口部から液体含浸布状体を取り出して使用する液体含浸布状体収納袋に於て、上記開口部は、上記上壁部を袋外方側へ鉛直面状起立姿勢として突設した一対の帯状突片部にて、形成され、上記上壁部は、袋本体の前端縁部から開口基準線近傍までの第１平面状部と、袋本体の後端縁部から開口基準線近傍までの第２平面状部とを、有し、さらに、一対の上記帯状突片部の対向面には、ファスナ部が配設され、上記ファスナ部は、相互に係合分離自在な一対のチャックテープから成り、一方の上記帯状突片部に対して、一方の上記チャックテープの基板部は、袋外方縁部及び袋内方縁部が固着され、他方の上記帯状突片部に対して、他方の上記チャックテープの基板部は、袋外方縁部のみが固着され、上記袋本体が、外部からの押圧力を受けると、内圧が発生し、上記チャックテープを前後外方へ引っ張る張力が発生して、上記ファスナ部が水平状の傾倒姿勢となって該ファスナ部が閉鎖状態を保つように構成されているものである。
また、上記ファスナ部よりも袋外方側に一対の上記帯状突片部を密封する未開封確認用シール部を設けたものである。
【発明の効果】
【０００７】
本発明の液体含浸布状体収納袋は、積層状に収納している複数枚の液体含浸布状体を、スムーズに１枚ずつ取出すことができる。袋本体を、テーブルや机等の平坦載置面に置いた安定姿勢で、容易に布状体を取出すことができる。
【図面の簡単な説明】
【０００８】
【図１】本発明の実施の一形態を示す平面図である。
【図２】図１のＡ−Ａ断面拡大図である。
【図３】開封状態の斜視図である。
【図４】取出し状態を示す断面側面図である。
【図５】作用を説明する断面側面図であって、（ａ）は内圧発生直後の断面側面図であり、（ｂ）はファスナ部の傾倒途中状態の断面側面図であり、（ｃ）はファスナ部がさらに傾倒した状態の断面側面図であり、（ｄ）はファスナ部の傾倒終了状態の断面側面図である。
【図６】傾倒終了状態での作用を説明する要部拡大断面図である。
【図７】他例の内圧発生時の状態を説明する要部拡大断面図である。
【図８】一対のファスナーテープの他例を示す要部拡大断面図である。
【図９】揺動片部の他の一例を示す要部拡大断面図である。
【図１０】揺動片部の別の一例を示す要部拡大断面図である。
【図１１】袋本体の前後端縁部の他の一例を示す要部拡大断面図である。
【図１２】袋本体の前後端縁部の別の一例を示す要部拡大断面図である。
【図１３】従来の問題点を説明するための断面側面図であって、（ａ）は未開封状態の断面側面図であり、（ｂ）は布状体取出し状態の断面側面図である。
【発明を実施するための形態】
【０００９】
以下、図示の実施形態に基づき本発明の液体含浸布状体収納袋を詳説する。
本発明に係る液体含浸布状体収納袋は、図１に示すように、平面視矩形状の樹脂シート（樹脂フィルム）製の袋本体１を備えている。
図１乃至図３に示すように、袋本体１は、シート状の上壁部（表て壁部）11と、シート状の下壁部（裏壁部）12と、を有している。左右側縁部１ｃ，１ｄは溶着にて密封状に閉じられ、前端縁部１ａは、前側シート折返部13をもって密封状に閉じられており、後端縁部１ｂは、後側シート折返部14をもって密封状に閉じられている。
【００１０】
袋本体１の内部には、美容液や薬液等の液体が含浸されたフェイスパックシート等の不織布製の布状体Ｍを、複数枚、積層状態で収納している。また、美容液や薬液等の液体を貯液している。
なお、上記液体としては、洗浄液、消毒液、コーティング液、水等自由であり、布状体Ｍとしては、クリーニングシート、ウェットシート、除菌シート、洗車シート、マスク、メイク落としシート、美容シート等自由である。
なお、布状体Ｍ及び液体は、左右側縁部１ｃ，１ｄの一方を溶着にて密閉した後に、左右側縁部１ｃ，１ｄの他方から収納され、その後、左右側縁部１ｃ，１ｄの他方が溶着にて密閉されることで、袋本体１の内部に収容される。
【００１１】
袋本体１の上壁部11には、前後中央位置において、左側縁部１ｃから右側縁部１ｄに渡って、開口部10が形成されている。
開口部10は、上壁部11を袋外方側Ｋｅへ突設した一対の帯状突片部61，71にて、形成されている。
【００１２】
ここで、図２に示すように、一対の帯状突片部61，71の鉛直面状起立姿勢において、開口部10の前後方向中心線を、開口基準線Ｓと呼び、図１に示すように、平面視で、袋本体１の前端縁部１ａから開口基準線Ｓまでの寸法を開口基準前後位置寸法Ｌ10と呼び、袋本体１の前端縁部１ａから後端縁部１ｂまでの寸法を袋前後寸法Ｌ１と呼ぶ。
そして、前後中央位置において開口部10が形成されるとは、言い換えると、開口基準前後位置寸法Ｌ10が、袋前後寸法Ｌ１の３５％以上６５％以下の寸法（値）となるように開口部10を形成する。好ましくは、開口基準前後位置寸法Ｌ10が、袋前後寸法Ｌ１の４０％以上６０％以下の寸法（値）となるように開口部10を形成する。
【００１３】
上壁部11は、開口部10で、前後方向に分離される第１シート部６と第２シート部７を有している。
第１シート部６は、袋本体１の前端縁部１ａから開口基準線Ｓ（前後中央位置）近傍まで下壁部12の前半部と対面状に配設される第１平面状部60と、開口基準線Ｓ（前後中央位置）近傍で袋外方側Ｋｅへ突設して開口部10を形成するための一方の帯状突片部61（以下、第１突片部61と呼ぶ場合もある）と、を有している。
第２シート部７は、袋本体１の後端縁部１ｂから開口基準線Ｓ（前後中央位置）近傍まで下壁部12の後半部と対面状に配設される第２平面状部70と、開口基準線Ｓ（前後中央位置）近傍で袋外方側Ｋｅへ突設して開口部10を形成するための他方の帯状突片部71（以下、第２突片部71と呼ぶ場合もある）と、を有している。
【００１４】
第１シート部６において第１突片部61の左右側縁部を除いた残りの左右側縁部は、下壁部12と溶着にて固着（密封）し、袋本体１の左右側縁部１ｃ，１ｄ（左右側縁シール部）の前半部を形成している。
第２シート部７において第２突片部71の左右側縁部を除いた残りの左右側縁部は、下壁部12と溶着にて固着（密封）し、袋本体１の左右側縁部１ｃ，１ｄ（左右側縁シール部）の後半部を形成している。
【００１５】
そして、第１突片部61の左右側縁部と、第２突片部71の左右側縁部とが、夫々、溶着にて固着（密封）され、揺動片部８を形成している。言い換えると、揺動片部８は、左右方向に長い帯状であって、前後方向に開く開口部10を形成し、左右側縁部は、溶着にて密封された帯端シール部を有している。
【００１６】
揺動片部８は、傾倒起立可能に揺動自在である。従って、袋本体１の上壁部11側に、他の袋本体１の下壁部12や他の物体が載置された際、或いは、バッグ等に収容した際に、揺動片部８が、第１平面状部60、又は、第２平面状部70と対面状に傾倒して、積み重ね収容や搬送が容易となる。
【００１７】
揺動片部８は、図２に示すように、第１・第２突片部61，71の各基端部（第１・第２平面状部60，70との折曲り部）62，72が熱処理又は塑性変形等にてクセづけされ、自由状態で起立（自立）可能としている。従って、第１・第２突片部61，71の把持や開口部10の開閉作業、布状体Ｍの取出し作業が容易となる。
【００１８】
そして、一対の帯状突片部61，71の対向面（シート内面）には、相互に係合分離自在な一対の樹脂製のチャックテープ51，52から成るファスナ部５が配設されている。
一対のチャックテープ51，52は、夫々、帯状の基板部53，54と、基板部53，54に突設される係合部55，56と、を有している。
【００１９】
ファスナ部５は、第１突片部61のシート内面に、一方のチャックテープ51（第１テープ51と呼ぶ場合もある）の帯状の基板部53が平行状に溶着にて固着され、かつ、第２突片部71のシート内面に、他方のチャックテープ52（第２テープ52と呼ぶ場合もある）の帯状の基板部54が平行状に溶着にて固着され、第１テープ51の係合部55と第２テープ52の係合部56が係合分離自在に相互に向かい合って配設している。
【００２０】
なお、ファスナ部５は、第１・第２突片部61，71（第１・第２テープ51，52の基板部53，54）に対して直交状の方向（第１・第２突片部61，71が鉛直面状起立姿勢においては前後外方）への力が作用すると、分離するように構成したものであれば良く、係合部55，56の凹凸（雌雄）形状は自由である。
【００２１】
そして、第１突片部61に対して、第１テープ51の基板部53（以下、第１基板部53と呼ぶ場合もある）は、袋外方縁部53ｅ及び袋内方縁部53ｆが溶着にて固着されている。
さらに、第２突片部71に対して、第２テープ52の基板部54（以下、第２基板部54と呼ぶ場合もある）は、袋外方縁部54ｅのみが溶着されている。
言い換えると、第２基板部54は、係合部56に対応する部位及びその近傍と、袋内方縁部54ｆとが、第２突片部71のシート内面に対して非固着状態である。
【００２２】
そして、ファスナ部５よりも袋外方側Ｋｅに、一対の帯状突片部61，71の外端縁部同士を溶着にて固着（密封）する未開封確認用シール部81を設けている。
また、ファスナ部５と未開封確認用シール部81の間に、その未開封確認用シール部81を切断除去するための切断予定部を設けている。
【００２３】
図２において、二点鎖線で示すように、未開封確認用シール部81を切断除去し、一対の帯状突片部61，71を、前後外方へ広げると、ファスナ部５が分離して、図３に示すように、開口部10が開口して、布状体Ｍが露出する。
【００２４】
そして、図４に示すように、開口部10を介して、指で布状体Ｍの中央領域を把持して持ち上げることが可能となる。従って、取出す布状体Ｍと他の布状体Ｍとの間に空気や液体が侵入して、分離しやすくなる。また、均一状に引き出し力が作用して（図13（ｂ）の従来技術のように上方へ引きずり出す場合に比べて）、取出す布状体Ｍを全体的に引き上げることができ、剥離（分離）がスムーズに行われ、他の布状体Ｍの連れ出しが防がれ、１枚のみを容易に取出すことができる。
また、布状体Ｍに付着している余剰な美容液等の液体が、袋本体１の外部へ垂れずに（袋内部へ垂れて）、周囲を汚さずに取出し作業を行うことができる。
【００２５】
そして、布状体Ｍを取出した後に、一対の帯状突片部61，71を、前後内方へ相互に接近させるとファスナ部５が係合して、開口部10が密閉され、美容液等の液体が袋内部から漏れるのを防止すると共に、袋内部の乾燥をファスナ部５によって防止する。
【００２６】
ここで、ファスナ部５が閉じた状態で、袋本体１が、押しつぶされるような外部からの押圧力を受けると、図５（ａ）に示すように、袋内部の液体や空気による内圧Ｐが発生し、図５（ｂ）に示すように、第１・第２シート部６，７が風船状に膨らもうとすると共に、第１シート部６と第２シート部７を前後外方へ引っ張るような張力Ｔが発生する。
【００２７】
そして、図５（ｂ）に示すように、第２突片部71と、第２基板部54の袋内方縁部54ｆと、の間（テープ非固着部位）に内圧Ｐが作用すると共に、第１テープ51は全体が前方へ引っ張られ、第２テープ52は袋外方縁部54ｅが後方へ引っ張られるため、ファスナ部５は、係合状態のまま、図５（ｃ）と図５（ｄ）に順次示すように、傾倒する。
【００２８】
図６に示すように、ファスナ部５は、水平状の傾倒姿勢で張力Ｔによる前後外方への力を受けることになる。
第１テープ51の係合部55（以下、第１係合部55と呼ぶ場合もある）は、前方へ移動しようとする力Ｆａが作用し、第２テープ52の係合部56（以下、第２係合部56と呼ぶ場合もある）は、後方へ移動しようとする力Ｆｂが作用する。即ち、相互に押し合うことになり、係合力が増加し、開口部10の開口（ファスナ部５の分離）は阻止される。
【００２９】
ここで、図７に示す他例のように、第２基板部54の袋内方縁部54ｆが、第２突片部71のシート内面に溶着している場合は、外圧により、袋本体１に内圧Ｐと張力Ｔが発生すると、第１基板部53の袋内方縁部53ｆと、第２基板部54の袋内方縁部54ｆと、の間が開き、揺動片部８は起立状態が保持され、この起立姿勢で、第１・第２突片部61，71の基端部62，72が、前後外方への張力Ｔを受けることになる。
従って、ファスナ部５（揺動片部８）が鉛直面状姿勢の状態で、第１の係合部55には前方へ移動しようとする力Ｆａが作用し、第２の係合部56には後方へ移動しようとする力Ｆｂが作用する。そこで、ファスナ部５自体の係合力を大きいものとするのが良い（後述の図８参照）。
【００３０】
なお、ファスナ部５は、図８に示すような、袋外方側Ｋｅと袋内方側Ｋｆとの間でラビリンス効果（作用）を発揮して液体の漏れを防止可能な形状のものが好ましい。係合・分離が容易でありながら、液体に対する密封性（水密性）が得られ、液体の漏れや、袋内部の乾燥を防止できて、好適である。
【００３１】
図８に於て、第１テープ51の係合部55は、袋外方側Ｋｅに配設される横断面キノコ型（矢印型）の雄部55ｒと、袋内方側Ｋｆに配設される横断面Ｊ字乃至Ｌ字状の第１係止爪部55ｓと、を有している。
第２テープ52の係合部56は、第１テープ51の雄部55ｒを係脱自在な横断面コの字状の雌部56ｒと、第１テープ51の第１係止爪部55ｓに係脱自在な横断面Ｊ字状乃至Ｌ字状の第２係止爪部56ｓと、を有する。
雄部55ｒ及び雌部56ｒは、袋外方側縁部及び袋内方側縁部に、カエリ部（掛かり部）を有している。そして、雄部55ｒと雌部56ｒの係合力は、袋外方側縁部の係合力よりも、袋内方側縁部の係合力が大きくなるように構成している。
このようなファスナ部５を設けることで、ファスナ部５の係合力を十分に大きくできしかも、外圧を受けて、内圧Ｐや張力Ｔ（図７参照）が発生し、袋内方側Ｋｆからファスナ部５が押し広げられるような力や、一対の帯状突片部61，71の基端部62，72に前後外方への張力Ｔが作用しても、ファスナ部５の分離を防止できる。
【００３２】
なお、本発明は、設計変更可能であって、上述の説明において、溶着した部位は、溶着に限らず、接着（接着剤を用いた固着）とするも良い。溶着とは、接着剤を用いずに、加熱によって樹脂を相互に固着できれば良く、ヒータ溶着、超音波溶着、高周波溶着等を用いて行うことができ、熱圧着や熱溶着と言い換えることもできる。なお、図１と図３に於て、左右側縁シール部を網掛け模様にて図示している。また、図２と図４乃至図７と図９と図10と図12に於て、溶着や接着による固着部（接合部）を黒塗りの矩形状（太い線）で図示している。
【００３３】
また、図９に示すように、揺動片部８は、自由状態で、前後一方側へ倒れた傾倒姿勢を保持するように、クセづけするも良い。また、図10に示すように、揺動片部８において、未開封確認用シール部81を省略するも良い。また、図２に示すように、揺動片部８を自由状態で起立（自立）可能にした場合において、図示省略するが、未開封確認用シール部81を省略するも良い。また、袋本体１の前側・後側シート折返部13，14（前後端縁部１ａ，１ｂ）は、図３に示すようなガゼット折り（ガゼット）が好ましいが、図11に示すように、単なる１度のシート折返しにてマチを形成するも良い。また、前・後端縁部１ａ，１ｂの一方を、図12に示すように、積層状態の複数枚の布状体Ｍを収容するための開口部とし、布状体Ｍを収容後に溶着又は接着にて閉じられて密封状となる端縁シール部19を有する構造とするも良い。言い換えると、袋本体１は、前後端縁部１ａ，１ｂの内の一方が、シート折返しにて閉じた密封状とし、他方は、溶着又は接着にて閉じた（端縁シール部19を有する）密封状、或いは、シート折返しにて閉じた密封状としている。
【００３４】
袋本体１及び第１・第２テープ51，52は、ポリエチレンやポリプロピレン等のポリオレフィン系樹脂が好ましいが、ＰＥＴ樹脂やナイロン等を用いるも良い。
また、本発明を容易に説明するために、袋本体１の下壁部（裏壁部）12を水平面状の載置面に載置した姿勢を基準姿勢とし、その基準姿勢において、鉛直方向を上下方向と呼び、ファスナ部５（一対のチャックテープ51，52）の長手方向を左右方向と呼んで方向を説明している。したがって、方向を基に、使用状態の姿勢を限定するものではない。
【００３５】
以上詳述したように、本発明の液体含浸布状体収納袋は、平面視矩形状の袋本体１の上壁部11は、前後中央位置において、左側縁部１ｃから右側縁部１ｄに渡って、開口部10が形成され、該開口部10から液体含浸布状体Ｍを取り出して使用する液体含浸布状体収納袋に於て、上記開口部10は、上記上壁部11を袋外方側Ｋｅへ鉛直面状起立姿勢として突設した一対の帯状突片部61，71にて、形成され、上記上壁部11は、袋本体１の前端縁部１ａから開口基準線Ｓ近傍までの第１平面状部60と、袋本体１の後端縁部１ｂから開口基準線Ｓ近傍までの第２平面状部70と、からなり、さらに、一対の上記帯状突片部61，71の対向面には、ファスナ部５が配設されているので、積層状に収納された複数枚の液体が含浸した布状体Ｍを、容易かつスムーズに１枚ずつ取出すことができる。袋本体１を、テーブルや机等の平坦載置面に、置いた状態で容易に取出すことができる。
【００３６】
また、上記ファスナ部５は、相互に係合分離自在な一対のチャックテープ51，52から成り、一方の上記帯状突片部61に対して、一方の上記チャックテープ51の基板部53は、袋外方縁部53ｅ及び袋内方縁部53ｆが固着され、他方の上記帯状突片部71に対して、他方の上記チャックテープ52の基板部54は、袋外方縁部54ｅのみが固着されているので、外部からの押圧力により発生した内圧Ｐと張力Ｔを利用して、ファスナ部５を水平状の傾倒姿勢とし、その水平状傾倒姿勢で、ファスナ部５が、張力Ｔを受けるようにし、さらに、その張力Ｔを巧みに利用してファスナ部５の係合力を増加させて開口を防止できる。簡素な構成で（特別な部材を設ける必要が無く）、外圧による漏れや開口を防止できる。
【００３７】
また、上記ファスナ部５よりも袋外方側Ｋｅに一対の上記帯状突片部61，71を密封する未開封確認用シール部81を設けたので、一旦、開封したか否かの判断が一目でわかる。イタズラ防止や、製造時での品質チェックを容易かつ迅速に行うことができる。
【符号の説明】
【００３８】
１  袋本体
１ａ  前端縁部
１ｂ  後端縁部
１ｃ  左側縁部
１ｄ  右側縁部
５  ファスナ部
10  開口部
11  上壁部
51  一方のチャックテープ
52  他方のチャックテープ
53  基板部
53ｅ  袋外方縁部
53ｆ  袋内方縁部
54  基板部
54ｅ  袋外方縁部
60  第１平面状部
61  一方の帯状突片部
70  第２平面状部
71  他方の帯状突片部
81  未開封確認用シール部
Ｋｅ  袋外方側
Ｍ  液体含浸布状体
Ｓ  開口基準線